(57)【要約】【課題】作業者の作業効率を上げることができる安全帯と工具とを連結する連結具を提供すること。【解決手段】本発明の連結具１は、作業者１６の安全帯１０と工具１４とを連結し、安全帯１０に装着される第１装着部２と、工具１４に装着される第２装着部４と、第１装着部２と第２装着部４とを連結する連結部３と、を備え、連結部３は、伸縮自在な伸縮部６と、当該伸縮部６を少なくとも覆う筒部５と、を備え、筒部５は、伸縮部６とともに伸縮可能である。【選択図】図１
2010274335.tif 000002
【特許請求の範囲】
【請求項１】
作業者の安全帯と工具とを連結する連結具であって、
前記安全帯に装着される第１装着部と、
前記工具に装着される第２装着部と、
前記第１装着部と前記第２装着部とを連結する連結部と、を備え、
前記連結部は、伸縮自在な伸縮部と、当該伸縮部を少なくとも覆う筒部と、を備え、
前記筒部は、前記伸縮部とともに伸縮可能であることを特徴とする連結具。
【請求項２】
前記筒部は、ゴム製である、請求項１に記載の連結具。
【請求項３】
前記伸縮部は、螺旋状に延びるひも部材である、請求項２に記載の連結具。
【発明の詳細な説明】
【技術分野】
【０００１】
本発明は、作業者の安全帯と工具とを連結する連結具に関する。
【背景技術】
【０００２】
従来、作業者は、作業者が高所において作業する場合、作業中に高所から墜落するのを防止するために、安全帯を取り付ける（特許文献１）。
【０００３】
この安全帯は、例えば、以下のような構造である。すなわち、安全帯１１０は、図５に示すように、作業者１１６の腰に巻きつける帯状のベルト１１０ａと、このベルト１１０ａに取り付けられたロープ状の命綱（図示せず）と、を備えている。
ベルト１１０ａには、複数の工具１１４のそれぞれを保持する工具差し１１５が装着される。これら複数の工具１１４としては、ラチェットレンチ１１１、モンキーレンチ１１２及びラジオペンチ１１３などがある。
さらに、工具１１４のそれぞれには、ベルト１１０ａと工具１１４とを連結する工具落下防止装置１０１が取り付けられる。
【０００４】
工具落下防止装置１０１は、螺旋状に形成された伸縮自在な螺旋部１０６と、この螺旋部１０６の一端に形成されてベルト１１０ａに連結された棒状に延びる第１棒状部１０２と、螺旋部１０６の他端に形成されて工具１１４に連結された棒状に延びる第２棒状部１０３と、螺旋部１０６および第１装着部１０２を覆うビニール製で円筒形状のカバー部１０５と、を備える。
【０００５】
作業者１１６は、作業前に工具落下防止装置１０１を、ベルト１１０ａと工具１１４とに連結する。作業者１１６が、工具差し１１５に工具１１４を収納して作業をする場合、螺旋部１０６が、カバー部１０５で覆われているため、工具落下防止装置１０１は、他の工具落下防止装置１０１と、絡み合うことはない。これにより、カバー部１０５で覆われていない工具落下防止装置と比べて、作業者１１６の作業効率は向上する。
作業者１１６が工具１１４を工具差し１１５から抜き取って使用すると、工具落下防止装置１０１の螺旋部１０６が伸びて、この螺旋部１０６の一部がカバー部１０５から露出する。その後、作業者１１６が工具１１４を工具差し１１５に収納すると、工具落下防止装置１０１の螺旋部１０６が縮んで、カバー部１０５に収まる。
【先行技術文献】
【特許文献】
【０００６】
【特許文献１】特開平１１−２５３５６９号公報
【発明の概要】
【発明が解決しようとする課題】
【０００７】
しかしながら、実際には、作業者１１６が工具１１４を工具差し１１５に収納しようとして、螺旋部１０６が縮むと、この螺旋部１０６が他の工具１１４と絡み合ったり、カバー部１０５の一端側に引っ掛かったりして、カバー部１０５に収納されない場合がある。よって、作業者の作業効率が低下する。
【０００８】
したがって、本発明は、作業者の作業効率を上げることができる連結具の提供を目的とする。
【課題を解決するための手段】
【０００９】
（１）本発明は、作業者の安全帯と工具とを連結する連結具であって、前記安全帯に装着される第１装着部と、前記工具に装着される第２装着部と、前記第１装着部と前記第２装着部とを連結する連結部と、を備え、前記連結部は、伸縮自在な伸縮部と、当該伸縮部を少なくとも覆う筒部と、を備え、前記筒部は、前記伸縮部とともに伸縮可能であることを特徴とする連結具に関する。
【００１０】
（１）によれば、連結具を、安全帯に装着される第１装着部と、工具に装着される第２装着部と、第１装着部と第２装着部とを連結する連結部と、を含んで構成し、連結部を、伸縮自在な伸縮部と、当該伸縮部を少なくとも覆う筒部と、を含んで構成し、筒部を、伸縮部とともに伸縮可能にした。
これにより、作業者が連結具を安全帯と工具に取り付けて作業をする場合、連結具の伸縮部が伸縮すると、その伸縮部を覆う筒部も伸縮する。したがって、連結具が他の工具と絡み合うことを防止でき、作業者が効率よく作業できる。
【００１１】
（２）（１）に記載の発明においては、前記筒部は、ゴム製であることが好ましい。
【００１２】
（２）によれば、連結具の筒部を、ゴム製にした。
これにより、筒部は、より伸縮しやすくなり、作業者は、工具をより使いやすくなる。
したがって、作業者の作業効率をより高めることができる。
【００１３】
（３）（２）に記載の発明においては、前記伸縮部は、螺旋状に延びるひも部材であることが好ましい。
【００１４】
（３）によれば、連結具の伸縮部を、螺旋状に延びるひも部材にした。
これにより、連結具の全長は短くなり、他の工具とより一層絡み合いにくくなる。
したがって、作業者の作業効率をより高めることができる。
【発明の効果】
【００１５】
本発明によれば、連結具を、安全帯に装着される第１装着部と、工具に装着される第２装着部と、第１装着部と第２装着部とを連結する連結部と、を含んで構成し、連結部を、伸縮自在な伸縮部と、当該伸縮部を少なくとも覆う筒部と、を含んで構成し、筒部を、伸縮部とともに伸縮可能にした。
これにより、作業者が連結具を安全帯と工具に取り付けて作業をする場合、連結具の伸縮部が伸縮すると、その伸縮部を覆う筒部も伸縮する。したがって、連結具が他の工具と絡み合うことを防止でき、作業者が効率よく作業できる。
【図面の簡単な説明】
【００１６】
【図１】本発明の一実施形態に係る連結具を連結した安全帯と工具と、を作業者が装着した図である。
【図２】本発明の一実施形態に係る連結具を示す図である。
【図３】本発明の一実施形態に係る連結具を伸ばした状態を示す図である。
【図４】本発明の一実施形態に係る連結具を連結した安全帯と工具と、を装着した作業者の作業を示す図である。
【図５】従来例に係る工具落下防止装置を連結した安全帯と工具と、を作業者が装着した図である。
【発明を実施するための形態】
【００１７】
以下、本発明の実施形態について、図面に基づいて説明する。
図１は、本発明の一実施形態に係る連結具１を連結した安全帯１０と工具１４と、を作業者１６が装着した図である。
安全帯１０は、作業者１６が高所において作業する場合、作業中に高所から墜落するのを防止する。安全帯１０は、作業者１６が腰に巻きつける帯状のベルト１０ａを備える。このベルト１０ａに、作業者１６が墜落しないようにロープ状の胴綱（命綱）が取り付けられる。また、安全帯１０は、作業者１６の利き手側に３つの工具差し１５を備える。工具差し１５は、作業者１６が作業中に使用する工具１４を収納する。工具１４としては、ラチェットレンチ１１、モンキーレンチ１２及びラジオペンチ１３がある。
ベルト１０ａと工具１４とは、連結具１で連結される。連結具１は、作業者１６の作業中に安全帯１０から工具１４が落下するのを防止する。
【００１８】
図２は、連結具１を示す図である。図３は、連結具１を伸ばした状態を示す図である。
連結具１は、安全帯１０に装着される第１装着部２と、工具１４に装着される第２装着部４と、第１装着部２と、第２装着部４とを連結する連結部３と、を備える。
第１装着部２は、ベルト１０ａに接続される第１金具部７ａと、第１着接部８ａと、第１棒状部９ａと、を備える。第１着接部８ａは、第１金具部７ａと、第１棒状部９ａの一端とを着接する。第１棒状部９ａは、棒状に延びる部材である。第１棒状部９ａの他端は、連結部３に連結される。
【００１９】
第２装着部４は、工具１４に接続される第２金具部７ｂと、第２着接部８ｂと、第２棒状部９ｂと、を備える。第２着接部８ｂは、第２金具部７ｂと、第２棒状部９ｂの一端とを着接する。第２棒状部９ｂは、棒状に延びる部材である。第２棒状部９ｂの他端は、連結部３に連結される。
【００２０】
連結部３は、第１装着部２と、第２装着部４とを連結する。連結部３は、筒部５と、伸縮部６と、を備える。伸縮部６は、螺旋状に延びるひも部材であり、自在に伸縮する。伸縮部６の一端は、第１棒状部９ａと連結し、他端は、第２棒状部９ｂと連結する。
【００２１】
筒部５は、円筒状であり、伸縮部６の全体を覆う。筒部５の一端は、例えば、テープにより、第１棒状部９ａに止着され、他端は、第２棒状部９ｂに止着される。筒部５は、ゴム製である。図３に示すように、伸縮部６が伸びると、筒部５は、伸縮部６とともに伸びる。伸縮部６が伸びた状態でも、筒部５は、伸縮部６の全体を覆う。筒部５は、伸縮部６の伸縮に合わせて伸縮し、常に伸縮部６の全体を覆う。筒部５は、透明であり、伸縮部６の損傷などの状態を常に簡単に視認できる。筒部５の色は、工具の種類に合わせて変えてもよい。
【００２２】
次に、連結具１の使用方法について説明する。
作業者１６は、第２装着部４の第２金具部７ｂを工具１４に取り付ける。また、第１装着部２の第１金具部７ａをベルト１０ａに取り付ける。これにより、安全帯１０と工具１４とが、連結具１によって連結される。作業者１６は、複数の工具１４のそれぞれを複数の連結具１によって安全帯１０と連結させる。このような状態で、作業者は作業を始める。
【００２３】
図４は、本発明の一実施形態に係る連結具１を連結した安全帯１０と工具１４と、を装着した作業者１６の作業を示す図である。
図４に示すように、作業者１６が高所で作業をする場合、作業者１６の姿勢は宙に浮いているような状態であったりするなど不自然な状態であることが多い。そのため、作業者１６が作業中に高所から墜落するのを防止するために安全帯１０には胴綱１７が取り付けられる。
工具１４の収納時、すなわち、工具１４を使用していない状態で、作業者１６が作業をする場合、伸縮部６の螺旋状部分は全て筒部５で覆われている。したがって、作業者１６の作業中に使用していない複数の工具１４の連結具１同士が接触しても、絡み合わない。
【００２４】
作業者１６が必要な工具１４を工具差し１５から取り出して作業をする場合、伸縮部６が伸び、それとともに筒部５も伸びる。したがって、工具１４を使用している場合でも、伸縮部６の全体が、常に筒部５で覆われている。これにより、作業中に使用している工具１４の連結具１は、他の工具１４および胴綱１７などと接触しても絡まず、作業者１６は、より円滑に作業できる。
作業者１６が、工具１４を工具差し１５に収納する場合、伸縮部６が縮み、それとともに筒部５も縮む。したがって、連結具１は、他の工具１４と絡み合うことなく、工具差し１５に収納される。
【００２５】
本発明の連結具１によれば、以下のような効果を奏する。
（１）連結具１を、安全帯１０に装着される第１装着部２と、工具１４に装着される第２装着部４と、第１装着部２と第２装着部４とを連結する連結部３と、を含んで構成し、連結部３を、伸縮自在な伸縮部６と、当該伸縮部６を少なくとも覆う筒部５と、を含んで構成し、筒部５を、伸縮部６とともに伸縮可能にした。
これにより、作業者１６が連結具１を安全帯１０と工具１４に取り付けて作業をする場合、連結具１の伸縮部６が伸縮すると、その伸縮部６を覆う筒部５も伸縮する。したがって、連結具１が他の工具１４と絡み合うことを防止でき、作業者１６が効率よく作業できる。
【００２６】
（２）連結具１の筒部５を、ゴム製にした。これにより、筒部５は、より伸縮しやすくなり、作業者１６は、工具１４をより使いやすくなる。
したがって、作業者１６の作業効率をより高めることができる。
【００２７】
（３）連結具１の伸縮部６を、螺旋状に延びるひも部材にした。これにより、連結具１の全長は短くなり、他の工具１４とより一層絡み合いにくくなる。
したがって、作業者１６の作業効率をより高めることができる。
【００２８】
以上、本発明の実施形態を説明したが、本実施形態では、具体例を例示したに過ぎず、本実施形態では、特に本発明を限定しない。また、本発明の実施形態に記載された効果は、本発明から生じる最も好適な効果を列挙したに過ぎず、本発明による効果は、本発明の実施形態に記載された効果に限定されない。
【符号の説明】
【００２９】
１  連結具
２  第１装着部
３  連結部
４  第２装着部
５  筒部
６  伸縮部
７ａ  第１金具部
７ｂ  第２金具部
８ａ  第１着接部
８ｂ  第２着接部
９ａ  第１棒状部
９ｂ  第２棒状部
１０  安全帯
１０ａ  ベルト
１１  ラチェットレンチ
１２  モンキーレンチ
１３  ラジオペンチ
１４  工具
１５  工具差し
１６  作業者  
１７  胴綱
【図１】
2010274335.tif 000003
【図２】
2010274335.tif 000004
【図３】
2010274335.tif 000005
【図４】
2010274335.tif 000006
【図５】
2010274335.tif 000007